(57)【特許請求の範囲】
【請求項１】
基板の正面に取り付けられたスイッチと、
前記基板の背面に取り付けられた光源と、
前記基板に設けられた切欠部と、
前記基板の前記切欠部内に配置され、前記基板の前記背面より突出し、前記光源から出射される光を入射し、前記基板の正面側に出射させる第１導光部材と、
前記第１導光部材に対して前記基板の正面側に配置され、前記第１導光部材から出射される光を入射するとともに、前記スイッチを押し込むための押込部を有する第２導光部材と、
前記第２導光部材に設けられ、前記光源から前記第１導光部材へ入射した前記光が前記第２導光部材に入射するよう前記第１導光部材から出射されることによって照光されるボタン部材と、
を具備し、
前記第１導光部材には、前記基板に重ねられる状態で配置されるオーバーラップ部と、前記切欠部に嵌め込まれる嵌込部と、前記嵌込部と前記オーバーラップ部との間に段差状の段差部と、が設けられ、
前記ボタン部材が押し込まれると、前記第２導光部材の前記押込部が前記スイッチを押し込むことを特徴とする記録装置。
【請求項２】
請求項１記載の記録装置であって、
前記ボタン部材には、前記第２導光部材が一体的に設けられていて、
さらに前記ボタン部材には、前記第２導光部材により導かれる光を外部に向けて出射させる発光部が設けられている、
ことを特徴とする記録装置。
【請求項３】
請求項１または２記載の記録装置であって、
前記基板の前記背面側には裏面ケースが配置されていて、
この裏面ケースと前記基板とによって、前記第１導光部材は挟持される、
ことを特徴とする記録装置。
【発明の詳細な説明】
【技術分野】
【０００１】
本発明は、記録装置に関する。
【背景技術】
【０００２】
インクジェットプリンター等の記録装置には、パネル装置（操作パネル）があり、その操作パネルには電源ボタン等のような、ユーザーが視認しながら手で触れて押し込む等の動作を行う部位（以下、ボタン部材とする）が存在する。そして、夜間等の暗い環境下でもボタン部材の視認性を高めるために、光源の光を利用して、ボタン部材を発光させるようにした構成が存在する。そのようなものとしては、たとえば特許文献１〜３に開示の技術内容がある。
【先行技術文献】
【特許文献】
【０００３】
【特許文献１】特開２００３−２９７１７１号公報
【特許文献２】特開２０１０−２７２７２号公報
【特許文献３】特許第４０４７３２０号公報
【発明の概要】
【発明が解決しようとする課題】
【０００４】
ところで、近年、たとえば記録装置の奥行き寸法の低減を始めとして、記録装置の小型化の要求がある。そのため、パネル装置に関する構成の薄型化も要請されていて、その要請に応えるためには光源とボタン部材の間の距離を近付ける必要がある。一方、限られた個数の光源と導光部材を用いて、比較的広い面積を概ね均一に発光させるという要請もある。さらに、なるべく簡易な構成とするべく、基板に光源を取り付け、その光源とボタン部材とが対向する配置を採用する場合もある。
【０００５】
ここで、特許文献１には、光源をボタン部材の内部に配置する構成は開示されているものの、この構成では、ボタン部材が光源を覆うような配置となっている。そのため、導光部材を用いておらず、比較的大きな面積を概ね均一に発光させることは難しい。また、特許文献２には、厚みの大きな導光部材がボタン部材の一端側（支点側）とは反対の他端側に取り付けられた構成が開示されている。この構成では、導光部材の厚みが大きく、薄型化を図ることは困難である。
【０００６】
また、特許文献２に開示の構成では、導光部材の厚みに比べて面積が小さいため、比較的大きな面積を概ね均一に発光させることも難しい。また、特許文献３には、一方の基板および他方の基板の２つの基板が存在していて、一方のスイッチが取り付けられている基板よりも遠い側に、他方の光源が取り付けられている基板が配置されている。このため、光源は導光部材に対して距離を稼ぐことができ、比較的広い面積で概ね均一に発光させることは可能であるが、遠い側の基板とボタン部材との間の寸法低減による薄型化を図ることは困難である。
【０００７】
本発明は上記の事情にもとづきなされたもので、その目的とするところは、基板とボタン部材との間の寸法低減による薄型化を図ることが可能であり、比較的広い面積を発光させることが可能な記録装置を提供しよう、とするものである。
【課題を解決するための手段】
【０００８】
上記課題を解決するために、本発明の記録装置は、基板の正面に取り付けられたスイッチと、前記基板の背面に取り付けられた光源と、前記基板に設けられた切欠部と、前記基板の前記切欠部内に配置され、前記基板の前記背面より突出し、前記光源から出射される光を入射し、前記基板の正面側に出射させる第１導光部材と、前記第１導光部材に対して前記基板の正面側に配置され、前記第１導光部材から出射される光を入射するとともに、前記スイッチを押し込むための押込部を有する第２導光部材と、前記第２導光部材に設けられ、前記光源から前記第１導光部材へ入射した前記光が前記第２導光部材に入射するよう前記第１導光部材から出射されることによって照光されるボタン部材と、を具備する。そして、前記第１導光部材には、前記基板に重ねられる状態で配置されるオーバーラップ部と、前記切欠部に嵌め込まれる嵌込部と、前記嵌込部と前記オーバーラップ部との間に段差状の段差部と、が設けられる。前記ボタン部材が押し込まれると、前記第２導光部材の前記押込部が前記スイッチを押し込むことを特徴とする。
【０００９】
このように構成する場合には、第１導光部材は、基板の切欠部内に配置され、基板の背面より突出し、光源から出射される光を入射し、基板の正面側に出射させる。そのため、基板と第１導光部材との間での薄型化が可能となる。それにより、基板とボタン部材との間での薄型化を図ることも可能となる。また、光源からの光は、第１導光部材に入射され、その第１導光部材からボタン部材が設けられた第２導光部材へ向けて光が出射される。そのため、ボタン部材において比較的広い面積を発光させることが可能となる。また、段差部を利用して、第１導光部材の位置決めを行うことが可能となり、第１導光部材の取り付けの容易性が向上する。
【００１０】
また、本発明の他の側面は、上述の発明において、ボタン部材には、第１導光部材から出射される光を入射させる第２導光部材が一体的に設けられていて、さらにボタン部材には、第２導光部材により導かれる光を外部に向けて出射させる発光部が設けられている、ことが好ましい。
【００１１】
このように構成する場合には、ボタン部材に一体化されている第２導光部材の存在により、ボタン部材の内部においても光を発光部まで良好に導くことが可能となり、その発光部から出射させることが可能となる。
【００１８】
また、本発明の他の側面は、上述の発明において、基板の背面側には裏面ケースが配置されていて、この裏面ケースと基板とによって、第１導光部材は挟持される、ことが好ましい。
【００１９】
このように構成する場合には、裏面ケースと基板とで第１導光部材を挟持することで、第１導光部材を固定することが可能となる。
【図面の簡単な説明】
【００２０】
【図１】記録装置の構成を示す斜視図である。
【図２】パネル装置の構成を示す斜視図である。
【図３】裏面ケースを取り除いたパネル装置の構成を示す分解斜視図である。
【図４】基板の切欠部付近の各部材の配置を示す部分的な斜視図である。
【図５】パネル装置の内部構成を示す部分的な側断面図である。
【図６】切欠部付近の各部材の取付態様を背面側から示す部分的な斜視図である。
【図７】従来のパネル装置の内部構成の一例を示す部分的な側断面図である。
【図８】従来のパネル装置の内部構成の一例を示す部分的な側断面図である。
【発明を実施するための形態】
【００２１】
以下、本発明の一実施の形態に係る記録装置１０について、図面を参照しながら説明する。なお、以下の説明においては、図１に示すように、ＸＹＺ直交座標系を設定して説明する場合があるものの、その中で記録装置１０の幅方向をＸ方向とし、記録装置１０が設置される設置面から離間する方向をＺ方向とし、それらＸ方向およびＺ方向に直交する方向をＹ方向とする。なお、Ｙ方向は、記録用紙（図示省略）を搬送する方向に対応している。
【００２２】
また、Ｘ方向におけるＸ１は図１の右方、Ｘ方向におけるＸ２は図１の左方を指すものとする。また、図１の記録装置１０においてパネル装置３０が位置する側を正面側とし、それとは逆側を背面側とし、Ｙ方向におけるＹ１は記録装置１０の正面側、Ｙ方向におけるＹ２は記録装置１０の背面側とする。また、Ｚ方向におけるＺ１は上方側、Ｚ方向におけるＺ２は下方側を指すものとする。なお、記録装置１０は、たとえばインクジェット式のプリンターであるが、インクジェット式のプリンター以外に本発明を適用するようにしても良い。また、インクジェット式のプリンターとしては、インクを噴射して記録可能な装置であれば、いかなる噴射方法を採用した装置でも良い。
【００２３】
＜記録装置１０の構成について＞
図１に示すように、記録装置１０は、筐体２０を備え、その筐体２０の外装部分は外装パネル２１で覆われている。また、筐体２０には、パネル装置３０が取り付けられている。
【００２４】
図２に示すように、パネル装置３０は、筐体２０に対して回動軸３１を支点として回動可能に設けられている。ただし、パネル装置３０は、筐体２０に対して回動しない構成を採用しても良い。また、パネル装置３０は、表面ケース３２を備え、その他、ボタン部材４０、基板５０、タクトスイッチ６０、光源６１、背面導光部材７０および裏面ケース８０等を備えている。
【００２５】
図２および図３に示すように、表面ケース３２は記録装置１０の正面側に位置する。さらに表面ケース３２の正面側（Ｙ１側）には、透明フィルム状の表面部材３３が設けられ、その表面部材３３が各種の操作部位３４を覆っている。なお、操作部位３４は、たとえば印刷を含めた加飾を、表面部材３３の裏面側（Ｙ２側）か、または表面ケース３２の正面側（Ｙ１側）に施すことにより、ユーザーに視認可能となっている。
【００２６】
一方、表面ケース３２には切欠孔３５が設けられていて、この切欠孔３５は表面ケース３２を貫通している。そして、この切欠孔３５には、ボタン部材４０の表面突出部４１が配置される。表面突出部４１は、ボタン部材４０のうちユーザーが視認したり触れたりする部分であり、切欠孔３５の内壁に対して若干の隙間を有する状態で切欠孔３５に配置される。
【００２７】
図４に示すように、ボタン部材４０は、上述した表面突出部４１と共に、導光基底部４１ｃ、フランジ部４２、アーム部４３、支点部４４および下方突出部４５を有している。表面突出部４１は、遮光部４１ａと発光部４１ｂとを備えていて、遮光部４１ａは、その正面側（Ｙ１側）にユーザーが視認可能な加飾が施された部分である。本実施の形態では、遮光部４１ａは、たとえば非透明または光の透過性が透明部材と比べて劣る樹脂（遮光性の樹脂）から形成されていて、発光部４１ｂに比べて光を大幅に遮るように設けられている。
【００２８】
発光部４１ｂは、図４および図５に示す構成では遮光部４１ａを囲むように、当該遮光部４１ａの周囲に設けられている。また、導光基底部４１ｃは、発光部４１ｂよりも背面側（Ｙ２側）に位置していて、後述する背面導光部材７０と対向している。これら発光部４１ｂおよび導光基底部４１ｃは、透明樹脂を材質として形成されていて、それによって光源６１からの光を外部に向けて出射させることを可能としている。
【００２９】
なお、本実施の形態では、発光部４１ｂおよび導光基底部４１ｃ以外の、フランジ部４２、アーム部４３、支点部４４および下方突出部４５も透明樹脂を材質として形成されている。そして、図５に示すように、遮光部４１ａを形成する遮光性の樹脂と透明樹脂との二色成形によってボタン部材４０が形成されている。
【００３０】
ただし、そのような二色成形によってボタン部材４０を形成せずに、たとえば透明樹脂のみによってボタン部材４０を形成するようにしても良い。その場合には、透明部材の遮光部４１ａに対応する部分に遮光性の印刷や遮光性の薄膜を形成したり、遮光性の部材を貼り付ける等により、遮光部４１ａが形成される。また、透明樹脂で形成される発光部４１ｂ、導光基底部４１ｃ、フランジ部４２、アーム部４３、支点部４４および下方突出部４５は、正面導光部材４６として説明する。正面導光部材４６は、入射された光を導く機能を有するが、特に発光部４１ｂおよび導光基底部４１ｃは、そのような機能を備えている。ただし、その他のフランジ部４２、アーム部４３、支点部４４および下方突出部４５の少なくとも１つは、入射された光を導く機能を備えていなくても良い。なお、正面導光部材４６は、第２導光部材に対応する。
【００３１】
なお、上述の透明樹脂には、透明でないものの光の透過性の高い樹脂も含まれる。同様に、透明部材には、透明でないものの光の透過性の高い部材も含まれる。そのようなものとしては、たとえば拡散材が内部に含まれているような乳白色の樹脂・部材や、表面の傷（凹凸等）によって半透明状となっている樹脂・部材等がある。
【００３２】
図４および図５に示すように、フランジ部４２は、導光基底部４１ｃの周囲に位置していると共に導光基底部４１ｃよりも薄肉に設けられている。また、導光基底部４１ｃおよびフランジ部４２は、切欠孔３５よりも大面積であり、Ｙ方向に沿って切欠孔３５を通過すると、これら導光基底部４１ｃおよびフランジ部４２に遮られるように設けられている。
【００３３】
また、アーム部４３はフランジ部４２と支点部４４とを結ぶ連結部分であり、支点部４４は表面ケース３２の支持部と裏面ケース８０の支持部との間で支持（固定）される部分であり、この支点部４４を支点としてボタン部材４０が揺動する。
【００３４】
下方突出部４５は、フランジ部４２のうち支点部４４から離間する側（Ｘ１側）に設けられ、その下方突出部４５はフランジ部４２の背面からさらに背面側（Ｙ２側）に向かって突出する部分である。下方突出部４５は、図４に示す構成ではＺ方向に３つ並んで設けられていて、それらの中で並びの中央の下方突出部４５ａ（押込部に対応）がタクトスイッチ６０（後述）と対向して設けられている。そして、表面突出部４１が押し込まれると、この下方突出部４５ａがタクトスイッチ６０を押し込む。なお、タクトスイッチ６０と対向しない下方突出部４５ｂは、基板５０に接触して、ボタン部材４０が過度に押し込まれるのを防止する。
【００３５】
図３から図５に示すように、パネル装置３０の内部には電気的な回路を有する基板５０が設けられていて、この基板５０には、タクトスイッチ６０および光源６１が取り付けられている。タクトスイッチ６０（スイッチに対応）は、本実施の形態では、押し込みによって記録装置１０の電源のオン・オフを切り替えるためのスイッチである。ただし、このタクトスイッチ６０は、その他の動作を行うためのスイッチであっても良い。タクトスイッチ６０は、基板５０の正面側（Ｙ１側）に設けられ、しかも下方突出部４５ａに対向する位置に設けられ、下方突出部４５ａによる押し込みを可能としている。
【００３６】
図３および図５に示すように、光源６１は、基板５０の背面側（Ｙ２側）に設けられている。光源６１は、たとえばＬＥＤ（Light Emitting Diode）であるが、光源６１はＬＥＤには限られず、ランプ等その他の発光部材を用いるようにしても良い。また、図３、図５および図６に示すように、光源６１は、基板５０に設けられている切欠部５１に近接する位置に設けられている。それによって、光源６１は、後述する背面導光部材７０に光を効率良く入射させることが可能となっている。
【００３７】
上述のように、基板５０には、切欠部５１が設けられている。図３に示すように、切欠部５１は、基板５０の端部側（隅角部）を矩形状に切り欠いて形成されている。この切欠部５１には、背面導光部材７０が配置される。そのため、切欠部５１の大きさも、背面導光部材７０の取り付けに対応した大きさとなっている。本実施の形態では、切欠部５１は基板５０の隅角部に設けられているが、切欠部５１は隅角部以外の部分に孔状の形態で設けられていても良い。また、切欠部５１は、矩形状以外の形態に切り欠かれていても良い。
【００３８】
図３から図６に示すように、切欠部５１には、第１導光部材としての背面導光部材７０が配置される。背面導光部材７０は、正面導光部材４６と同様に、透明樹脂を材質として形成されていて、光を導く機能を有している。この背面導光部材７０の隣り合う２つの辺に沿い、段差部７１が設けられている。段差部７１は、背面導光部材７０の背面側（Ｙ２側）の部分が、背面導光部材７０の正面側（Ｙ１側）の部分よりも大面積に設けられることによって形成され、本実施の形態では略Ｌ字状に設けられている。
【００３９】
段差部７１の正面部７１ａは、基板５０のうち切欠部５１の周縁部分に当接する。その状態で、基板５０よりも背面側に裏面ケース８０が位置し、その裏面ケース８０が背面導光部材７０に当接することにより、背面導光部材７０はＹ方向への移動が阻止される状態で保持される。
【００４０】
背面導光部材７０の各辺の中で段差部７１が存在していない一辺側には、差込孔７２が形成されている。この差込孔７２には表面ケース３２の差込ピン３２ａが差し込まれる。さらに差込ピン３２ａの付け根側には、背面導光部材７０の正面に当接する受け部３２ｂが設けられている。このように、背面導光部材７０には、段差部７１および差込孔７２が設けられることにより、背面導光部材７０は、基板５０、表面ケース３２および裏面ケース８０とに挟み込まれる状態で、それらに対する位置ずれが抑えられた状態で取り付けられている。
【００４１】
なお、以下の説明では、背面導光部材７０のうち段差部７１から背面側（Ｙ２側）の部分を、オーバーラップ部７３とする。オーバーラップ部７３は、基板５０に重ねられた（オーバーラップした）配置となっている。また、オーバーラップ部７３は、基板５０よりも背面側（Ｙ２側）に飛び出している。また、背面導光部材７０のうち切欠部５１に嵌め込まれている部分を、嵌込部７４とする。Ｙ方向に沿って嵌込部７４と導光基底部４１ｃを投影した場合、嵌込部７４は、導光基底部４１ｃの全体を覆うように大面積に設けられている。
【００４２】
図３および図６に示すように、背面導光部材７０には、窪み部７５が設けられている。窪み部７５は、図３および図６に示す構成では、背面導光部材７０のオーバーラップ部７３を円弧状に切り欠いた形状に形成されている。この窪み部７５には、基板５０に取り付けられている光源６１が位置する。このような窪み部７５の存在と光源６１の窪み部７５への配置により、背面導光部材７０へは光が効率的に入射される。なお、図３および図６に示す構成では、窪み部７５は２つ設けられているが、窪み部７５の個数は、いくつであっても良い。
【００４３】
また、背面導光部材７０の背面には、反射層７６が設けられている。反射層７６は、光源６１から背面導光部材７０に入射された光を、正面側に向けて反射させるための部分である。本実施の形態では、反射層７６は、白色印刷によって形成されているが、白色印刷以外の手法によって反射層７６を形成しても良い。
【００４４】
また、図５に示すように、パネル装置３０には裏面ケース８０が設けられていて、この裏面ケース８０は、パネル装置３０の各部材を背面側（Ｙ２側）から覆っている。
【００４５】
＜作用効果について＞
以上のような構成の記録装置１０によると、背面導光部材７０の嵌込部７４は、基板５０の切欠部５１に嵌め込まれる。そのため、基板５０と背面導光部材７０との間での薄型化が可能となる。それにより、基板５０とボタン部材４０との間での薄型化を図ることも可能となる。また、光源６１からの光は、背面導光部材７０に入射され、その背面導光部材７０からボタン部材４０へ向けて光が出射される。そのため、ボタン部材４０において比較的広い面積を発光させることが可能となる。
【００４６】
ここで、従来のパネル装置３０Ａ，３０Ｂの構成を、それぞれ図７および図８に模式的に示す。図７は、特許文献１のパネル装置３０Ａの構成を模式的に表したものであり、図８は、特許文献３のパネル装置３０Ｂの構成を模式的に表したものである。
【００４７】
これら図７および図８に示す構成では、基板５００には切欠部５１に対応する部分は存在していない。そして、光源６１０から出射される光は、直接的に導光部材４６０に入射される。そのため、光源６１０と導光部材４６０との間には、光源６１０からの光の拡散のために比較的大きなスペースが必要となっていて、パネル装置３０Ａ，３０Ｂの薄型化が困難となっている。
【００４８】
これに対して、本実施の形態では、図５に示すように、背面導光部材７０の嵌込部７４が、基板５０の切欠部５１に嵌め込まれる構成を採用するため、基板５０と背面導光部材７０との間での薄型化が可能となり、ひいては、パネル装置３０の薄型化を図ることも可能となる。また、光源６１からの光が、背面導光部材７０に入射されることにより、光の拡散のためにさほど大きなスペースを要せずに済む。また、背面導光部材７０を経た光がボタン部材４０に到達することにより、ボタン部材４０において比較的広い面積を発光させることが可能となる。
【００４９】
また、本実施の形態では、ボタン部材４０には、正面導光部材４６が一体化されている。かかる正面導光部材４６の存在により、ボタン部材４０の内部においても光を発光部４１ｂまで良好に導くことが可能となり、その発光部４１ｂから出射させることが可能となる。
【００５０】
さらに、本実施の形態では、フランジ部４２には下方突出部４５ａが設けられている。そのため、かかる下方突出部４５ａを利用して、タクトスイッチ６０を押し込むことが可能となる。
【００５１】
また、本実施の形態では、基板５０の背面側（Ｙ２側）に光源６１が取り付けられているため、光源６１から直接ボタン部材４０に向かおうとする光は基板５０によって遮られる。それにより、光源６１からの光は背面導光部材７０を経てボタン部材４０に向かう状態となる。そのため、光源６１が基板５０の正面側（Ｙ１側）に取り付けられている場合のように、光源６１からの光が、目的以外の照光部分を照らすのを防止可能となる。
【００５２】
さらに、本実施の形態では、背面導光部材７０には、段差部７１が設けられている。そのため、段差部７１を利用して、背面導光部材７０の位置決めを行うことが可能となり、背面導光部材７０の取り付けの容易性が向上する。
【００５３】
また、本実施の形態では、背面導光部材７０は、オーバーラップ部７３が基板５０に当接する状態で、基板５０と裏面ケース８０とによって挟持される。そのため、背面導光部材７０を簡易な構成で固定することが可能となる。
【００５４】
＜変形例＞
以上、本発明の第１および第２の実施の形態について述べたが、本発明は、種々変形可能である。以下、それについて述べる。
【００５５】
（１）変形例その１
上述の実施の形態においては、背面導光部材７０は基板５０よりも背面側（Ｙ２側）に突出する構成について説明している。そして、背面側（Ｙ２側）に突出するオーバーラップ部７３から光源６１の光を入射するようにしている。しかしながら、背面導光部材７０は、基板５０よりも正面側（Ｙ１側）に突出する構成を採用しても良い。その場合には、基板５０の正面側（Ｙ１側）に光源６１が設けられる構成を採用することが好ましい。
【００５６】
（２）変形例その２
また、上述の実施の形態では、ボタン部材４０は、遮光部４１ａと正面導光部材４６と一体的に設けられる構成を採用している。しかしながら、ボタン部材４０は、遮光部４１ａは存在するものの正面導光部材４６が存在しない構成を採用しても良い。このような構成を採用する場合には、ボタン部材４０と切欠孔３５との間の隙間から、光を外部に出射させることが可能となる。なお、ボタン部材４０に正面導光部材４６が存在しない構成を採用する場合には、遮光部４１ａからタクトスイッチ６０に向かい延伸する部分が存在する方が好ましい。
【００５７】
（３）変形例その３
また、上述の実施の形態では、窪み部７５は、オーバーラップ部７３を円弧状に切り欠いた形状に形成されている。しかしながら、窪み部７５は、円弧状に切り欠いた形状には限られず、多角形状に切り欠いた形状、円弧以外の曲面形状等、円弧状に切り欠いた以外の形状を採用しても良い。
【００５８】
（４）変形例その４
また、上述の実施の形態における光源６１として、たとえば色違いのＬＥＤを複数用いる構成を採用しても良い。そのように構成する場合、種々の色で発光部４１ｂを発光させることが可能となる。
【００５９】
（５）変形例その５
また、上述の実施の形態では、発光部４１ｂは、遮光部４１ａの周囲に存在するものとして説明している。しかしながら、表面突出部４１においては遮光部４１ａと発光部４１ｂとの位置関係は、特に限定されない。たとえばＸＺ平面において表面突出部４１の一方側に片寄るように遮光部４１ａを配置し、それとは反対の他方側に片寄るように発光部４１ｂを配置しても良く、発光部４１ｂが表面突出部４１の中心側やその他の部位に差し掛かるような所定の模様形状に形成されていても良い。また、背面導光部材７０をたとえば複数用いるようにして、発光部４１ｂの発光させる領域を複数の背面導光部材７０のいずれかに対応させるように構成しても良い。
【００６０】
（６）変形例その６
また、上述の実施の形態において、記録装置１０の概念には、上述したインクジェット式のプリンター以外に、レーザープリンターを含めることも可能である。すなわち、レーザープリンターに対しても、本発明を適用可能である。記録装置１０の概念には、インク以外の他の液体（液体そのものや、機能材料の粒子が液体に分散又は混合されてなる液状体、ゲルのような流動性を有する材質を含む）を噴射したりする流体噴射装置を含むようにすることもでき、そのような流体噴射装置に対しても本発明を適用可能である。そのようなものとしては、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液体を噴射する液状体噴射装置、バイオチップ製造に用いられる生体有機物を噴射する流体噴射装置、精密ピペットとして用いられ試料となる液体を噴射する流体噴射装置等がある。
【００６１】
（７）変形例その７
さらに、本発明の記録装置１０の概念に含まれるものとしては、時計やカメラ等の精密機械にピンポイントで潤滑油を噴射する流体噴射装置、光通信素子等に用いられる微小半球レンズ（光学レンズ）などを形成するために紫外線硬化樹脂等の透明樹脂液を基板上に噴射する流体噴射装置、基板などをエッチングするために酸又はアルカリ等のエッチング液を噴射する流体噴射装置、ゲル（例えば物理ゲル）などの流状体を噴射する流状体噴射装置等がある。
【符号の説明】
【００６２】
１０…記録装置、２０…筐体、２１…外装パネル、３０，３０Ａ，３０Ｂ…パネル装置、３１…回動軸、３２…表面ケース、３２ａ…差込ピン、３２ｂ…受け部、３３…表面部材、３４…操作部位、３５…切欠孔、４０…ボタン部材、４１…表面突出部、４１ａ…遮光部、４１ｂ…発光部、４１ｃ…導光基底部、４２…フランジ部、４３…アーム部、４４…支点部、４５，４５ｂ…下方突出部、４５ａ…下方突出部（押込部に対応）、４６…正面導光部材（第２導光部材に対応）、５０…基板、５１…切欠部、６０…タクトスイッチ（スイッチに対応）、６１…光源、７０…背面導光部材（第１導光部材に対応）、７１…段差部、７１ａ…正面部、７２…差込孔、７３…オーバーラップ部、７４…嵌込部、７５…窪み部、７６…反射層、８０…裏面ケース、４６０…導光部材、５００…基板、６１０…光源
【図１】
0006011041.tif 000002
【図２】
0006011041.tif 000003
【図３】
0006011041.tif 000004
【図４】
0006011041.tif 000005
【図６】
0006011041.tif 000006
【図５】
0006011041.tif 000007
【図７】
0006011041.tif 000008
【図８】
0006011041.tif 000009